【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
撮像された画像情報を用いて焦点検出を行う焦点検出装置であって、
画像内の領域の指定を受け付ける受付手段と、
少なくとも画像内の被写体の領域を優先して焦点検出を行う第１のモードと、前記受付手段により受け付けた前記画像内の指定された領域を優先して焦点検出を行う第２のモードとがある複数の焦点検出モードの中から、１つの焦点検出モードを設定する第１の設定手段と、
前記焦点検出を行うための焦点検出領域を設定する第２の設定手段と、
前記焦点検出領域の焦点検出結果に基づいて、前記焦点検出領域のうち合焦させる領域を選択する選択手段と、
前記合焦させる領域に合焦した画像情報を得られるように焦点調節をする制御手段と、を有し、
前記第２の設定手段は、前記第１のモードにおいて、被写体が検出された場合に、該被写体の領域に基づいて前記焦点検出領域を設定し、被写体が検出されていない場合に、予め決められた領域に前記焦点検出領域を設定し、前記第２のモードにおいては、前記指定された位置に基づき前記焦点検出領域を設定する、ことを特徴とする焦点検出装置。
【請求項２】
前記複数の焦点検出モードには、画像内の１つの領域で焦点検出を行う第３のモードが含まれる、ことを特徴とする請求項１に記載の焦点検出装置。
【請求項３】
前記第２の設定手段は、前記第２のモードにおいて、被写体が検出されたか否かに関わらず、前記焦点検出領域を設定する、ことを特徴とする請求項１に記載の焦点検出装置。
【請求項４】
前記選択手段は、前記焦点検出領域に含まれる複数の領域ごとの焦点検出結果に基づいて、前記複数の領域のいずれかを前記合焦させる領域として選択する、ことを特徴とする請求項１から３のいずれか１項に記載の焦点検出装置。
【請求項５】
前記焦点検出領域における合焦状態を表示するための制御を行う表示制御手段を更に有し、
前記表示制御手段は、前記第１のモードにおいて前記合焦状態を評価した場合と、前記第２のモードにおいて前記合焦状態を評価した場合とで合焦状態の表示態様を異ならせるように制御する、ことを特徴とする請求項１から３のいずれか１項に記載の焦点検出装置。
【請求項６】
前記焦点検出領域における合焦状態を表示するための制御を行う表示制御手段を更に有し、
前記表示制御手段は、前記第１のモードでは、合焦している領域を１つの枠として表示し、第２のモードでは、前記合焦している領域を複数の枠として表示するように制御する、ことを特徴とする請求項４に記載の焦点検出装置。
【請求項７】
前記選択手段は、検出された前記被写体の領域が所定の大きさ以上であり、かつ所定の時間にわたって前記焦点検出領域に存在した場合、該被写体の領域を前記合焦させる領域に含める、ことを特徴とする請求項１から６のいずれか１項に記載の焦点検出装置。
【請求項８】
前記選択手段は、複数のフォーカスレンズ位置で撮像された、画像情報のコントラストに基づいて、前記焦点検出領域における合焦状態を取得する、ことを特徴とする請求項１から７のいずれか１項に記載の焦点検出装置。
【請求項９】
前記選択手段は、前記撮像された画像情報に含まれる、撮影光学系の異なる瞳領域を通過した光束により形成された一対の像信号のずれ量に基づいて、前記焦点検出領域における合焦状態を取得する、ことを特徴とする請求項１から７のいずれか１項に記載の焦点検出装置。
【請求項１０】
画像内の被写体の領域を検出する検出手段を更に有し、
前記検出手段は、前記被写体の領域として人物の顔の領域を検出する、ことを特徴とする請求項１から９のいずれか１項に記載の焦点検出装置。
【請求項１１】
撮影光学系による被写体像を撮像して画像信号を出力する撮像素子から出力された前記画像信号から、被写体エリアを検出する検出手段と、
前記撮像素子から出力された前記画像信号の領域の指定を受け付ける受付手段と、
前記領域の指定に基づいて、焦点検出エリアを設定する設定手段と、
前記設定手段により設定された焦点検出エリアの焦点状態を検出する焦点検出手段と、
前記撮影光学系の焦点調節を行うべき合焦エリアを選択する選択手段と、を有し、
前記選択手段は、前記検出手段により被写体エリアが検出された場合、前記被写体エリアが所定サイズ以上重なっている焦点検出エリアを合焦エリアとして決定し、前記検出手段により被写体エリアが検出されなかった場合、前記設定手段により設定された前記焦点検出エリアのうち、前記焦点検出手段により検出された焦点状態が、至近側を示す焦点検出エリアを優先させて前記合焦エリアとして決定する、ことを特徴とする焦点検出装置。
【請求項１２】
撮像された画像情報を用いて焦点検出を行う焦点検出装置の制御方法であって、
画像内の領域の指定を受け付ける受付工程と、
少なくとも画像内の被写体の領域を優先して焦点検出を行う第１のモードと、前記受付工程により受け付けた前記画像内の指定された領域を優先して焦点検出を行う第２のモードとがある複数の焦点検出モードの中から、１つの焦点検出モードを設定する第１の設定工程と、
前記焦点検出を行うための焦点検出領域を設定する第２の設定工程と、
前記焦点検出領域の焦点検出結果に基づいて、前記焦点検出領域のうち合焦させる領域を選択する選択工程と、
前記合焦させる領域に合焦した画像情報を得られるように焦点調節をする制御工程と、を有し、
前記第２の設定工程では、前記第１のモードにおいて、被写体が検出された場合に、該被写体の領域に基づいて前記焦点検出領域を設定し、被写体が検出されていない場合、予め決められた領域に前記焦点検出領域を設定し、前記第２のモードにおいては、前記指定された位置に基づき前記焦点検出領域を設定する、ことを特徴とする焦点検出装置の制御方法。
【請求項１３】
焦点検出装置の制御方法であって、
撮影光学系による被写体像を撮像して画像信号を出力する撮像素子から出力された前記画像信号から、被写体エリアを検出する検出工程と、
前記撮像素子から出力された前記画像信号の領域の指定を受け付ける受付工程と、
前記領域の指定に基づいて、焦点検出エリアを設定する設定工程と、
前記設定工程において設定された焦点検出エリアの焦点状態を検出する焦点検出工程と、
前記撮影光学系の焦点調節を行うべき合焦エリアを選択する選択工程と、を有し、
前記選択工程では、前記検出工程において被写体エリアが検出された場合、前記被写体エリアが所定サイズ以上重なっている焦点検出エリアを合焦エリアとして選択し、前記検出工程において被写体エリアが検出されなかった場合、前記設定工程において設定された前記焦点検出エリアのうち、前記焦点検出工程において検出された焦点状態が、至近側を示す焦点検出エリアを優先させて前記合焦エリアを選択する、ことを特徴とする焦点検出装置の制御方法。
【請求項１４】
コンピュータを、請求項１から１１のいずれか１項に記載の焦点検出装置の各手段として機能させるためのプログラム。
【手続補正２】
【補正対象書類名】明細書
【補正対象項目名】０００８
【補正方法】変更
【補正の内容】
【０００８】
この課題を解決するため、例えば本発明の焦点検出装置は以下の構成を備える。すなわち、撮像された画像情報を用いて焦点検出を行う焦点検出装置であって、画像内の領域の指定を受け付ける受付手段と、少なくとも画像内の被写体の領域を優先して焦点検出を行う第１のモードと、受付手段により受け付けた画像内の指定された領域を優先して焦点検出を行う第２のモードとがある複数の焦点検出モードの中から、１つの焦点検出モードを設定する第１の設定手段と、焦点検出を行うための焦点検出領域を設定する第２の設定手段と、焦点検出領域の焦点検出結果に基づいて、焦点検出領域のうち合焦させる領域を選択する選択手段と、合焦させる領域に合焦した画像情報を得られるように焦点調節をする制御手段と、を有し、第２の設定手段は、第１のモードにおいて、被写体が検出された場合に、該被写体の領域に基づいて焦点検出領域を設定し、被写体が検出されていない場合に、予め決められた領域に焦点検出領域を設定し、第２のモードにおいては、指定された位置に基づき焦点検出領域を設定する、ことを特徴とする。